(57)【要約】【課題】所定サイズの原稿に関して、トレイ内の記録紙の配置方向に依らずに、所定方向のプレビュー画像を表示することができる画像形成装置を提供する。【解決手段】原稿を読取って画像データを入力する原稿読取部１１０と、記録紙を収容する給紙部１４０と、画像データに基づいて記録紙上に画像を形成する画像形成部１２０と、画像形成の状態を表すプレビュー画像を表示するタッチパネルディスプレイ１３２とを備え、タッチパネルディスプレイは、所定サイズの原稿に関しては、指定された向きにプレビュー画像を表示し、所定サイズ以外の原稿に関しては、給紙部から供給される記録紙のサイズ及び向きに応じてプレビュー画像を表示する。これにより、所定サイズの原稿に関して、記録紙の配置方向に依らずに、所定方向のプレビュー画像を表示することができ、形成される画像の仕上りの確認が容易になる。【選択図】図５
2012232426.tif 000002
【特許請求の範囲】
【請求項１】
原稿が読取られて生成された画像データが入力される画像入力手段と、
画像形成のために供給する記録紙を収容する給紙手段と、
前記給紙手段から供給される前記記録紙上に、前記画像データに基づいて出力画像を形成する画像形成手段と、
前記出力画像が形成された場合の前記記録紙の状態を表すプレビュー画像を、前記画像データから生成するプレビュー画像生成手段と、
前記プレビュー画像を表示する表示手段とを備え、
前記表示手段は、前記出力画像を形成するために前記給紙手段から供給される記録紙のサイズ及び向きに応じて前記プレビュー画像を表示する第１表示モード、又は、読取られた前記原稿のサイズに応じて前記プレビュー画像を表示する第２表示モードで前記プレビュー画像を表示することを特徴とする画像形成装置。
【請求項２】
前記表示手段は、
前記画像形成装置の初期状態において、前記第１表示モードで前記プレビュー画像を表示し、
所定条件が指定された場合であって、該条件を満たすときに、前記第２表示モードで前記プレビュー画像を表示することを特徴とする請求項１に記載の画像形成装置。
【請求項３】
前記原稿のサイズを検出するサイズ検出手段をさらに備え、
前記表示手段は、
前記サイズ検出手段によって検出された原稿のサイズが所定サイズに該当する場合、前記第２表示モードで前記プレビュー画像を表示し、
前記サイズ検出手段によって検出された原稿のサイズが前記所定サイズに該当しない場合、前記第１表示モードで前記プレビュー画像を表示することを特徴とする請求項１又は２に記載の画像形成装置。
【請求項４】
前記画像入力手段は、前記原稿を読取って前記画像データを生成し、
前記サイズ検出手段は、前記画像入力手段により読取られる原稿の長さ及び幅を検出し、
前記所定サイズは、第１の値及び該第１の値以下の第２の値であり、
前記表示手段は、
前記長さと前記第１の値との差、及び、前記幅と前記第２の値との差が、所定範囲以内である場合、前記第２表示モードで前記プレビュー画像を表示し、
前記長さと前記第１の値との差、及び、前記幅と前記第２の値との差の少なくとも一方が、前記所定範囲を超えている場合、前記第１表示モードで前記プレビュー画像を表示することを特徴とする請求項３に記載の画像形成装置。
【請求項５】
前記画像入力手段は、前記原稿を読取位置に搬送する搬送手段を備え、
前記画像入力手段は、前記読取位置において前記原稿を読取り、前記画像データを生成することを特徴とする請求項４に記載の画像形成装置。
【請求項６】
前記表示手段が前記第２表示モードで前記プレビュー画像を表示するための条件として、原稿のサイズを指定する手段をさらに備えることを特徴とする請求項１から５の何れか１項に記載の画像形成装置。
【請求項７】
前記表示手段が前記第２表示モードで前記プレビュー画像を表示するための条件として、原稿のサイズを、異なるサイズで複数指定する手段をさらに備え、
異なるサイズの原稿を含む複数の原稿の画像データが前記画像入力手段に入力された場合、前記表示手段は、複数指定された前記サイズの何れか１つに該当する原稿に対応するプレビュー画像を前記第２表示モードで表示することを特徴とする請求項１から６の何れか１項に記載の画像形成装置。
【請求項８】
表示されている前記プレビュー画像を所定方向に回転させて表示させる操作手段をさらに備えることを特徴とする請求項１から７の何れか１項に記載の画像形成装置。
【請求項９】
異なるサイズの原稿を含む複数の原稿の画像データが入力され、複数のプレビュー画像が表示された状態で、表示された複数の前記プレビュー画像の中から複数のプレビュー画像が選択され、前記操作手段により、所定方向に所定角度だけ回転させる指示がなされた場合、選択された複数の前記プレビュー画像を前記所定方向に前記所定角度だけに回転させて表示することを特徴とする請求項８に記載の画像形成装置。
【請求項１０】
前記第１表示モードと前記第２表示モードとを切換える手段をさらに備えていることを特徴とする請求項１から９の何れかに記載の画像形成装置。
【請求項１１】
原稿が読取られて生成された画像データが入力され、該画像データに基づく出力画像が記録紙に形成された場合の該記録紙の状態を表すプレビュー画像を表示する手段を備えた画像形成装置であって、
前記画像データが、所定サイズの原稿が読取られて生成された場合、該原稿のサイズに応じて前記プレビュー画像を表示し、
前記画像データが、前記所定サイズ以外の原稿が読取られて生成された場合、前記出力画像を形成するための記録紙のサイズ及び向きに応じて前記プレビュー画像を表示することを特徴とする画像形成装置。
【請求項１２】
画像形成のために供給するサイズが異なる複数種類の記録紙を収容する給紙手段と、
原稿が読取られて生成された画像データが入力される画像入力手段と、
前記給紙手段に収容された複数種類の記録紙の中から、前記画像データに基づく出力画像を形成する記録紙を、読取られた前記原稿のサイズに基づいて選択する選択手段と、
前記出力画像が形成された場合の記録紙の状態を表すプレビュー画像を表示する表示手段とを備えた画像形成装置であって、
前記表示手段は、
前記画像データが、所定サイズの原稿が読取られて生成された場合、該原稿のサイズに応じて前記プレビュー画像を表示し、
前記画像データが、前記所定サイズ以外の原稿が読取られて生成された場合、選択された前記記録紙のサイズ及び向きに応じて前記プレビュー画像を表示することを特徴とする画像形成装置。
【発明の詳細な説明】
【技術分野】
【０００１】
本発明は、プレビュー機能を有する画像形成装置に関し、特に、表示内容を確認し易い向きにプレビュー画像を表示することができる画像形成装置に関する。
【背景技術】
【０００２】
電子機器である画像処理装置の１種として、多くの事業所（会社、事務所等）に、記録紙に画像を形成する画像形成装置（代表的にはコピー機）が導入されている。このような画像形成装置の１種である複合機（ＭＦＰ：ＭｕｌｔｉＦｕｎｃｔｉｏｎ  Ｐｅｒｉｐｈｅｒａｌ）は、コピーモード、ファクシミリモード（以下、ファクシミリをＦＡＸと記載する場合がある。）、ネットワーク対応のプリンタモード、及びスキャナモード等、複数の動作モードを備える。
【０００３】
デジタル画像形成装置は、多彩な画像処理機能を搭載しており、ユーザが入力した画像データ（原稿）を所望の形で出力することができる。例えば、下記特許文献１には、セットされている記録紙の給紙方向（搬送方向）が原稿の向きと異なっていても、原稿を読取った画像データを自動的に９０度回転させて記録紙に印刷する画像形成装置が開示されている。この画像形成装置は、セットされた原稿のサイズと複写変倍率から画像の形成に適切な記録紙サイズを決定し、給紙部にセットされている記録紙の中から適切なサイズの記録紙を選択すると共に、必要に応じて画像の向きを記録紙の向きに合わせて回転させる。これによって、記録紙の状態を考慮することなく（記録紙の向きを変えてセットし直すことなく）、原稿画像を記録紙に形成することができる。
【０００４】
しかし、この画像形成装置では、原稿の画像が記録紙に対して実際にどのように形成されるのかは、画像形成装置から記録紙に印刷されて出力されるまで確認ができない問題がある。したがって、ユーザが所望する形で印刷されず、ミスコピーとなってしまうことが考えられる。
【０００５】
そのために、画像を表示可能な液晶表示装置等の表示パネルと、表示パネルの上面に積層して形成されたタッチパネルとからなる操作パネルを用いた画像形成装置において、プレビュー機能を搭載しているものがある。プレビュー機能とは、画像を記録紙上に実際に形成する前に、仕上り状態（ステープル等の綴じ処理も含めて、記録紙上に画像が形成された最終状態）を示す画像を、表示パネルに表示する機能である。例えば、下記特許文献２には、液晶画面を有する表示・操作部を備え、変倍を行なって画像形成する場合に、実際に複写を行なう前に、印刷プレビュー画像を液晶画面に表示することができる画像形成装置が開示されている。これによって、ユーザは、シート上にどのような形で記録再現されるかを事前に確認することができるので、自分が求めている画像の出力形態であることを確認した上で出力指示を行なうことができる。したがって、ミスプリントも少なくなり、消耗品（記録紙、トナー等）の無駄な消費も抑えることができる。
【０００６】
また、原稿読取部に対して原稿を自動的に送る装置である原稿自動送り装置（ＡＤＦ：Ａｕｔｏ  Ｄｏｃｕｍｅｎｔ  Ｆｅｅｄｅｒ）が搭載されたデジタル複合機も普及している。これによって、原稿自動送り装置に原稿をセットするだけで、自動的に原稿を順次読取部に搬送することができ、大量の原稿の読取り作業効率がアップする。
【先行技術文献】
【特許文献】
【０００７】
【特許文献１】特開２００１−３０９１１５号公報
【特許文献２】特開２００４−７７６１６号公報
【発明の概要】
【発明が解決しようとする課題】
【０００８】
しかし、従来のプレビュー機能では、選択されている記録紙（記録紙のサイズと向き）を基準として、出力形態を表すプレビュー画像が表示される。したがって、原稿自動送り装置を備えた画像形成装置におけるプレビュー表示は、原稿自動送り装置と記録紙のトレイへの配置方向との関係に影響されるので、プレビュー画像が、原稿の向きから９０度回転された状態で表示され、仕上り状態の確認が困難になる場合がある。
【０００９】
以下、具体的に問題点を説明するが、本明細書で使用する、原稿、記録紙及びプレビュー画像の向きに関する用語を、次のように定義しておく。
「原稿の方向」又は「原稿の向き」とは、ユーザがその原稿に正対して（その原稿を自己の正面に置いて）その原稿の内容を見る場合に、その原稿を配置することが期待される方向を意味する。
【００１０】
原稿に関して、「縦方向」又は「縦向き」とは、ユーザが正対してその原稿の内容を見る場合に、その原稿の短辺に沿った方向（短辺方向）が左右方向になるような配置を意味する。また、原稿に関して、「横方向」又は「横向き」とは、ユーザが正対してその原稿の内容を見る場合に、その原稿の長辺に沿った方向（長辺方向）が左右方向になるような配置を意味する。
【００１１】
トレイにセットされた記録紙に関して、「縦方向」又は「縦向き」とは、記録紙をトレイから搬出する方向（搬出方向）が、その記録紙の短辺に平行な配置を意味する。記録紙に関して、「横方向」又は「横向き」とは、記録紙の搬出方向が、その記録紙の長辺に平行な配置を意味する。
【００１２】
プレビュー画像に関して、「縦方向の配置」又は「縦向きの配置」とは、画像の短辺方向が表示パネルの左右方向に平行な配置を意味する。プレビュー画像に関して、「横方向の配置」又は「横向きの配置」とは、画像の長辺方向が表示パネルの左右方向に平行な配置を意味する。
【００１３】
画像形成装置内で搬送中の原稿又は記録紙に関して、「縦方向」又は「縦向き」とは、搬送方向が、その原稿又は記録紙の短辺に平行な配置を意味する。画像形成装置内で搬送中の原稿又は記録紙に関して、「横方向」又は「横向き」とは、搬送方向が、その原稿又は記録紙の長辺に平行な配置を意味する。
【００１４】
原稿自動送り装置には搬送できる原稿の大きさに制限があり、特に原稿の搬送方向に対して直交する方向（以下、幅方向という）に関して、搬送できる原稿の幅が制限される。これは、搬送方向に対して幅方向に大きくすると、画像形成装置が大型になり、コストも高くなるからである。そのために、原稿のサイズによっては原稿の搬送方向が特定されてしまう。一般的な複写機の原稿自動送り装置では、Ｂ５、Ａ４、レター（８．５×１１）サイズであれば、縦方向にでも横方向にでも原稿を搬送可能である。しかし、Ｂ４、Ａ３、リーガル（８．５×１４）サイズの原稿の場合、原稿の短辺が原稿自動送り装置の入力部に当接するようにしかセットすることができず、搬送方向は常に縦方向になる。
【００１５】
同様に、画像形成装置の大型化、高コストを抑制するために、記録紙の搬送方向及びトレイ内の用紙の配置方向も、記録紙のサイズに応じて上記と同様に制限される。
【００１６】
例えば、レターサイズ及びリーガルサイズ（図１参照）を原稿として原稿自動送り装置にセットする場合を考える。レターサイズの原稿９１０は、８．５インチ×１１インチであり、原稿自動送り装置としては、縦方向にでも横方向にでも原稿を搬送可能である。しかし、リーガルサイズの原稿９００は、８．５インチ×１４インチであり、１辺はレターサイズと同じであるが、他辺はレターサイズよりも長い。したがって、リーガルサイズの原稿９００は、横方向にしか搬送できない。
【００１７】
レターサイズ及びリーガルサイズの記録紙をトレイにセットすることを考える。図２に示すように、リーガルサイズの記録紙に関しては、トレイ９２０は、横向きにして配置されたリーガルサイズの記録紙９３０しか収容できない。リーガルサイズの記録紙９３０の短辺方向を第１ストッパ９２２（実線）で固定し、長辺方向を第２ストッパ９２４（実線）で固定する。記録紙の搬送方向（搬出方向）は、矢印９４０で示す方向である。一方、レターサイズの記録紙に関しては、トレイ９２０は、横向きに配置されたレターサイズの記録紙９３２、又は縦向きにして配置されたレターサイズの記録紙９３４を収容することができる。レターサイズの記録紙９３２の場合、短辺方向を、点線で示した位置にスライドさせた第１ストッパ９２２で固定し、長辺方向を第２ストッパ９２４で固定する。レターサイズの記録紙９３４の場合、短辺方向を、破線で示した位置にスライドさせた第１ストッパ９２２で固定し、長辺方向を、破線で示した位置にスライドさせた第２ストッパ９２４で固定する。通常、レターサイズの記録紙が縦向きに配置される場合「８．５×１１」と表示され、横向きに配置される場合「８．５×１１Ｒ」と表示さる。
【００１８】
このように、リーガルサイズの原稿に関しては、記録紙も横向きにセットされているために、原稿サイズに対応する記録紙サイズを自動的に選択する機能により、リーガルサイズ（横向き）の記録紙が選択され、プレビュー画像は横向きの画像として表示部に表示される。リーガルサイズの原稿は、約８割が縦向き（図１参照）である。したがって、リーガルサイズのプレビュー画像が横向きの画像として表示されると、実際の原稿の向きから９０度回転されて表示されることになる可能性が高い。この状態を図３に示す。図３の左端には、ＡＤＦ９２６とリーガルサイズの原稿９００との位置関係を示す。即ち、リーガルサイズの原稿９００が、ＡＤＦ９２６に当接してセットされ、矢印９４２で示す方向に搬送されることを示す。図３の中央には、リーガルサイズの記録紙９３０が、矢印９４０で示す方向に搬送されることを示す。図３の右端には、表示パネルに表されるプレビュー画像９５０を示す。このように、縦方向のリーガルサイズの原稿９００は、原稿の向きから９０度回転したプレビュー画像９４４として表示されるので、ユーザは出力状態の確認が難しくなる。
【００１９】
一方、レターサイズの原稿は、約８割が横向き（図１参照）である。レターサイズに関しては、原稿自動送り装置にセット可能な方向、及び、トレイに配置可能な方向は２方向あるので、原稿自動送り装置への原稿のセット方向とトレイでの用紙の配置方向とに応じて、実際の原稿の向きから９０度回転されて表示される可能性がある。図１に示したレターサイズの原稿をコピーする場合を図４に示す。図４において、左端、中央、右端の各列の画像の意味は、図３と同じである。また、原稿及び記録紙の搬送方向も、図３と同じである。図４のＮｏ．１及びＮｏ．３の列では、プレビュー画像はレターサイズの原稿の向きと同じ向きに表示されているので、ユーザは出力状態を容易に確認できる。しかし、図４のＮｏ．２及びＮｏ．４の列では、プレビュー画像９５２は、実際の原稿の向きから９０度回転されて表示されているので、ユーザは出力状態を容易に確認できない。
【００２０】
このように、実際の原稿の向きに対して９０度回転されてプレビュー表示されると、画像形成装置の出力状態の確認が困難となる問題がある。特に、複数枚の原稿をコピーする場合（異なるサイズが混在する場合を含む）、上記のように原稿の向きと異なる向きにプレビュー画像が表示されると、ユーザは著しく不便を感じることになる。
【００２１】
この問題は、上記の特許文献１及び２の何れに開示された発明によっても解決することができない。特許文献２には、原稿の向きと記録紙の向きに関して何ら具体的に記載されていない。
【００２２】
したがって、本発明は、ユーザが出力される画像の内容をスムーズに確認できるように、所定サイズの原稿に関して、トレイ内の記録紙の配置方向に依らずに、所定方向のプレビュー画像を表示することができる画像形成装置を提供することを目的とする。
【課題を解決するための手段】
【００２３】
本発明に係る第１の画像形成装置は、原稿が読取られて生成された画像データが入力される画像入力部と、画像形成のために供給する記録紙を収容する給紙部と、給紙部から供給される記録紙上に、画像データに基づいて出力画像を形成する画像形成部と、出力画像が形成された場合の記録紙の状態を表すプレビュー画像を、画像データから生成するプレビュー画像生成部と、プレビュー画像を表示する表示部とを備え、表示部は、出力画像を形成するために給紙部から供給される記録紙のサイズ及び向きに応じてプレビュー画像を表示する第１表示モード、又は、読取られた原稿のサイズに応じてプレビュー画像を表示する第２表示モードでプレビュー画像を表示する。
【００２４】
好ましくは、表示部は、画像形成装置の初期状態において、第１表示モードでプレビュー画像を表示し、所定条件が指定された場合であって、この条件を満たすときに、第２表示モードでプレビュー画像を表示する。
【００２５】
より好ましくは、画像形成装置は、原稿のサイズを検出するサイズ検出部をさらに備え、表示部は、サイズ検出部によって検出された原稿のサイズが所定サイズに該当する場合、第２表示モードでプレビュー画像を表示し、サイズ検出部によって検出された原稿のサイズが所定サイズに該当しない場合、第１表示モードでプレビュー画像を表示する。
【００２６】
好ましくは、画像入力部は、原稿を読取って画像データを生成し、サイズ検出部は、画像入力部により読取られる原稿の長さ及び幅を検出し、所定サイズは、第１の値及び第１の値以下の第２の値であり、表示部は、長さと第１の値との差、及び、幅と第２の値との差が、所定範囲以内である場合、第２表示モードでプレビュー画像を表示し、長さと第１の値との差、及び、幅と第２の値との差の少なくとも一方が、所定範囲を超えている場合、第１表示モードでプレビュー画像を表示する。
【００２７】
より好ましくは、画像入力部は、原稿を読取位置に搬送する搬送部を備え、画像入力部は、読取位置において原稿を読取り、画像データを生成する。
【００２８】
さらに好ましくは、表示部が第２表示モードでプレビュー画像を表示するための条件として、原稿のサイズを指定する。
【００２９】
好ましくは、表示部が第２表示モードでプレビュー画像を表示するための条件として、原稿のサイズが、異なるサイズで複数指定され、異なるサイズの原稿を含む複数の原稿の画像データが画像入力部に入力された場合、表示部は、複数指定されたサイズの何れか１つに該当する原稿に対応するプレビュー画像を第２表示モードで表示する。
【００３０】
好ましくは、画像形成装置は、表示されているプレビュー画像を所定方向に回転させて表示させる操作部をさらに備える。
【００３１】
さらに好ましくは、画像形成装置は、異なるサイズの原稿を含む複数の原稿の画像データが入力され、複数のプレビュー画像が表示された状態で、表示された複数のプレビュー画像の中から複数のプレビュー画像が選択され、操作部により、所定方向に所定角度だけ回転させる指示がなされた場合、選択された複数のプレビュー画像を所定方向に所定角度だけに回転させて表示する。
【００３２】
より好ましくは、画像形成装置は、第１表示モードと第２表示モードとを切換える切換部をさらに備えている。
【００３３】
本発明に係る第２の画像形成装置は、原稿が読取られて生成された画像データが入力され、この画像データに基づく出力画像が記録紙に形成された場合のこの記録紙の状態を表すプレビュー画像を表示する画像形成装置であって、画像データが、所定サイズの原稿が読取られて生成された場合、この原稿のサイズに応じてプレビュー画像を表示し、画像データが、所定サイズ以外の原稿が読取られて生成された場合、出力画像を形成するための記録紙のサイズ及び向きに応じてプレビュー画像を表示する。
【００３４】
本発明に係る第３の画像形成装置は、画像形成のために供給するサイズが異なる複数種類の記録紙を収容する給紙部と、原稿が読取られて生成された画像データが入力される画像入力部と、給紙部に収容された複数種類の記録紙の中から、画像データに基づく出力画像を形成する記録紙を、読取られた原稿のサイズに基づいて選択する選択部と、出力画像が形成された場合の記録紙の状態を表すプレビュー画像を表示する表示部とを備えた画像形成装置であって、表示部は、画像データが、所定サイズの原稿が読取られて生成された場合、この原稿のサイズに応じてプレビュー画像を表示し、画像データが、所定サイズ以外の原稿が読取られて生成された場合、選択された記録紙のサイズ及び向きに応じてプレビュー画像を表示する。
【発明の効果】
【００３５】
本発明によれば、画像形成装置は、所定サイズの原稿に関しては、トレイ内の記録紙の配置方向に依らずに、所定方向のプレビュー画像を表示することができる。したがって、ユーザは、形成される画像の仕上り（出力される画像の内容）をスムーズに確認できる。特に、異なるサイズが混在する複数の原稿をスキャンした場合、ユーザは、仕上りの確認を効率的に行なうことができる。
【００３６】
また、原稿のサイズに応じてプレビュー表示する対処の原稿を任意に指定することができるので、特定のサイズの原稿について頻度の高い向きがあれば、そのサイズの原稿に関して、頻度の高い向きにプレビュー画像を表示することができる。例えば、レターサイズの原稿は約８割が横向きであり、リーガルサイズの原稿は約８割が縦向きであるので、これらのサイズの原稿に対して、それぞれの向きにプレビュー画像が表示されるように設定すれば、ユーザは仕上りを容易に確認することができる。
【００３７】
また、プレビュー画像を回転させることができるので、原稿の向きと異なる向きでプレビュー画像が表示された場合には、そのプレビュー画像を回転させて原稿と同じ向きに表示することができる。ユーザは、仕上りの確認を効率的に行なうことができる。
【図面の簡単な説明】
【００３８】
【図１】リーガルサイズ及びレターサイズの原稿を示す図である。
【図２】画像形成装置のトレイ内の記録紙の配置を示す平面図である。
【図３】リーガルサイズの原稿をコピーする場合における、原稿のセット方向、記録紙の方向、及びプレビュー画像の方向の関係を示す図である。
【図４】レターサイズの原稿をコピーする場合における、原稿のセット方向、記録紙の方向、及びプレビュー画像の方向の関係を示す図である。
【図５】本発明の実施の形態に係る画像形成装置の外観を示す斜視図である。
【図６】図５に示した画像形成装置の内部構成を簡略化して示す断面図である。
【図７】図５に示した画像形成装置のハードウェア構成を示す機能ブロック図である。
【図８】図５に示した画像形成装置における表示画面を示す図である。
【図９】プレビュー表示モードの設定画面を示す図である。
【図１０】プレビュー機能を実現するコンピュータプログラムの制御構造を示すフローチャートである。
【図１１】図５に示した画像形成装置におけるプレビュー表示を示す図である。
【図１２】図５に示した画像形成装置によりレターサイズの原稿をコピーする場合における、原稿のセット方向、記録紙の方向、及びプレビュー画像の方向の関係を示す図である。
【図１３】縦向き原稿のプレビュー画像が横向きに表示された画面を示す図である。
【図１４】図１４に示したプレビュー画像が９０°回転されて表示された画面を示す図である。
【図１５】図５に示した画像形成装置により、異なるサイズが混在する原稿をコピーする場合における、原稿のセット方向、記録紙の方向、及びプレビュー画像の方向の関係を示す図である。
【図１６】１枚のプレビュー画像を９０°回転させる操作を示す図である。
【図１７】複数枚のプレビュー画像を一度に９０°回転させる操作を示す図である。
【発明を実施するための形態】
【００３９】
以下の実施の形態では、同一の部品には同一の参照番号を付してある。それらの機能及び名称も同一である。したがって、それらについての詳細な説明は繰返さない。
【００４０】
本発明の実施の形態に係る画像形成装置は、原稿を読取ってプレビュー表示を行なう。本画像形成装置は、電子写真方式により記録紙に画像を形成する。本画像形成装置は、動作モードとして、コピーモード、プリンタモード、スキャナモード、ファクシミリモード等を備える複合機である。
【００４１】
図５及び図６を参照して、画像形成装置１００は、原稿読取部１１０、画像形成部１２０、操作部１３０、給紙部１４０、及び排紙処理部１５０を備えている。原稿読取部１１０は、原稿を自動的に送る原稿自動送り部１１２を備えている。操作部１３０は、タッチパネルディスプレイ１３２及び操作キー部１３４を備えている。タッチパネルディスプレイ１３２は、液晶パネル等で構成された表示パネルと、表示パネルの上に配置され、タッチされた位置を検出するタッチパネルとを含む。操作キー部１３４には、図示しないいくつかの機能キーが配置される。
【００４２】
図７を参照して、画像形成装置１００は、画像形成装置１００全体を制御する制御部（以下、ＣＰＵという）１０２と、プログラム等を記憶するためのＲＯＭ（Ｒｅａｄ  Ｏｎｌｙ  Ｍｅｍｏｒｙ）１０４と、揮発性の記憶装置であるＲＡＭ（Ｒａｎｄｏｍ  Ａｃｃｅｓｓ  Ｍｅｍｏｒｙ）１０６と、通電が遮断された場合にもデータを保持する不揮発性記憶装置であるＨＤＤ（Ｈａｒｄ  Ｄｉｓｋ  Ｄｒｉｖｅ）１０８とを備えている。ＲＯＭ１０４には、画像形成装置１００の動作を制御するのに必要なプログラム及びデータが記憶されている。
【００４３】
画像形成装置１００はさらに、画像処理部１２２、画像メモリ１２４、ＮＩＣ（Ｎｅｔｗｏｒｋ  Ｉｎｔｅｒｆａｃｅ  Ｃａｒｄ）１６０、及びバス１１４を備えている。ＣＰＵ１０２、ＲＯＭ１０４、ＲＡＭ１０６、ＨＤＤ１０８、ＮＩＣ１６０、原稿読取部１１０、画像形成部１２０、画像処理部１２２、画像メモリ１２４、操作部１３０、及び給紙部１４０は、バス１１４に接続されている。各部間のデータ（制御情報を含む）交換は、バス１１４を介して行なわれる。ＣＰＵ１０２は、バス１１４を介してＲＯＭ１０４からプログラムをＲＡＭ１０６上に読出して、ＲＡＭ１０６の一部を作業領域としてプログラムを実行する。即ち、ＣＰＵ１０２は、ＲＯＭ１０４に格納されているプログラムにしたがって画像形成装置１００を構成する各部の制御を行ない、画像形成装置１００の各機能を実現する。
【００４４】
ＮＩＣ１６０は、外部のネットワーク１６２に接続され、画像形成装置１００がネットワーク１６２を介して外部装置と通信するためのインターフェイスである。画像形成装置１００は、外部の電話回線（図示せず）に接続され、画像形成装置１００が電話回線を介して外部装置とＦＡＸ通信するためのインターフェイスであるＦＡＸモデム（図示せず）を備えている。
【００４５】
原稿読取部１１０は、画像を読取るためのＣＣＤ（Ｃｈａｒｇｅ  Ｃｏｕｐｌｅｄ  Ｄｅｖｉｃｅ：電荷結合素子）と、原稿自動送り部１１２にセットされた原稿のサイズを検出する原稿検知センサとを備え、原稿を読取って画像データを入力する。画像データは画像メモリ１２４に一時的に記憶される。画像処理部１２２は、読取った画像データに対して、種々の画像処理を実行する。画像形成部１２０は、画像データを記録紙に印刷する。画像データは、必要に応じてＨＤＤ１０８に記憶される。
【００４６】
操作部１３０は、ユーザによる画像形成装置１００に対する指示等の入力を受付ける。ユーザは、タッチパネルディスプレイ１３２に表示される画面によって、画像形成装置１００の状態及びジョブの処理状況等の確認を行なう。タッチパネルディスプレイ１３２に表示されたキーを、表示パネルに重ねられたタッチパネル上で選択する（タッチパネル上の該当部分にタッチする）ことによって、画像形成装置１００の機能設定及び動作指示等ができる。
【００４７】
ＣＰＵ１０２は、操作部１３０に設けられたタッチパネルディスプレイ１３２、入力キー等に対するユーザの操作を監視すると共に、タッチパネルディスプレイ１３２に画像形成装置１００の状態に関する情報等のユーザに通知すべき情報等を表示する。
【００４８】
以下、画像形成装置１００の各動作モードについて簡単に説明する。
【００４９】
（コピーモード）
コピーモードでは、主として、原稿読取部１１０及び画像形成部１２０が動作する。画像形成装置１００を複写機として利用する場合には、原稿読取部１１０によって読取られた原稿の画像データが、画像形成部１２０から複写物として出力される。
【００５０】
原稿読取部１１０に装備されたＣＣＤにより、読取位置にセットされた原稿の画像を電子的に読取ることができる。読取られた画像データは、画像メモリ１２４上に出力画像データ（印刷用データ）として完成された後、ＨＤＤ１０８に記憶される。原稿が複数ある場合には、この読取り動作及び記憶動作が繰返される。その後、操作部１３０から指示された処理モードに基づいて、ＨＤＤ１０８に記憶された画像データが適切なタイミングで順次読出されて画像メモリ１２４に送られる。そして、画像形成部１２０での画像形成のタイミングに合わせて、画像データは画像形成部１２０へと伝送される。
【００５１】
読取った画像データを複数枚印刷する場合にも、同様に出力データとしてページ単位でＨＤＤ１０８に記憶され、ＨＤＤ１０８から画像メモリ１２４に送られ、出力枚数の分だけ繰返し、画像形成のタイミングに合わせて画像形成部１２０へ伝送される。
【００５２】
図６を参照して、画像形成部１２０は、原稿の画像データを記録媒体（多くの場合、記録紙）に印刷する。画像形成部１２０は、感光体ドラム１７２、帯電装置１７４、レーザスキャンユニット１７６、現像装置１７８、転写装置１８０、クリーニング装置１８２、加熱定着部である定着装置１８４、及び図示しない除電装置等を備えている。
【００５３】
画像形成部１２０には、主搬送路１８６及び反転搬送路１８８が設けられており、給紙部１４０から給紙されてきた記録紙が主搬送路１８６に沿って搬送される。給紙部１４０は、トレイ１９０、１９２に収納された記録紙、又は手差トレイ１４２に載置された記録紙を、ピックアップローラによって１枚ずつ引き出して記録紙を画像形成部１２０の主搬送路１８６へと送り出す。
【００５４】
画像形成部１２０の主搬送路１８６に沿って記録紙が搬送されている途中で、記録紙が感光体ドラム１７２と転写装置１８０との間を通過し、さらに定着装置１８４を通過して、記録紙に対する印刷が行なわれる。
【００５５】
感光体ドラム１７２は、一方向に回転し、その表面は、クリーニング装置１８２と除電装置によりクリーニングされた後、帯電装置１７４により均一に帯電される。
【００５６】
レーザスキャンユニット１７６は、印刷対象の画像に基づいてレーザ光を変調し、このレーザ光によって感光体ドラム１７２の表面を主走査方向に繰返し走査して、静電潜像を感光体ドラム１７２の表面に形成する。
【００５７】
現像装置１７８は、トナーを感光体ドラム１７２の表面に供給して静電潜像を現像し、トナー像を感光体ドラム１７２の表面に形成する。
【００５８】
転写装置１８０は、転写装置１８０と感光体ドラム１７２との間を通過する記録紙に感光体ドラム１７２表面のトナー像を転写する。
【００５９】
定着装置１８４は、記録紙を加熱するための加熱ローラ１９６と、記録紙を加圧するための加圧ローラ１９８とを含む。記録紙が、加熱ローラ１９６によって加熱され、かつ、加圧ローラ１９８によって加圧されることによって、記録紙上に転写されたトナー像が記録紙に定着される。
【００６０】
主搬送路１８６と反転搬送路１８８との接続位置には、分岐爪１９４が配設されている。記録紙の片面のみに印刷が行なわれる場合は、分岐爪１９４が位置決めされ、分岐爪１９４により定着装置１８４からの記録紙が排紙トレイ１５４又は排紙処理部１５０の方へと導かれる。
【００６１】
記録紙の両面に印刷が行なわれる場合には、分岐爪１９４が所定方向に回動されて記録紙が反転搬送路１８８の方へと導かれる。記録紙は、反転搬送路１８８を通過して、その表裏を反転されて主搬送路１８６へと再び搬送され、主搬送路１８６の再度の搬送途中で、その裏面への印刷が行なわれて排紙トレイ１５４又は排紙処理部１５０の方へと導かれる。
【００６２】
上述のようにして印刷された記録紙は、排紙トレイ１５４に排出され、又は排紙処理部１５０の排紙トレイ１５２の何れかに排出される。
【００６３】
排紙処理部１５０では、複数の記録紙を各排紙トレイ１５２に仕分けして排出する処理、各記録紙にパンチングする処理、及び各記録紙にステープルする処理を施す。例えば、複数部の印刷物を作成する場合は、各排紙トレイ１５２に印刷物の一部ずつが割り当てられるように、各記録紙を各排紙トレイ１５２に仕分けして排出し、排紙トレイ１５２毎に、排紙トレイ１５２上の各記録紙にパンチング処理又はステープル処理を施して印刷物を作成する。
【００６４】
（プリンタモード）
画像形成装置１００をプリンタとして利用する場合には、ＮＩＣ１６０を介して受信した画像データが画像メモリ１２４等を介して画像形成部１２０から出力される。
【００６５】
ＮＩＣ１６０は、ネットワーク１６２に接続されたコンピュータ等から画像データを受信する。受信された画像データは、出力画像データとしてページ単位に画像メモリ１２４に送られた後、ＨＤＤ１０８に記憶される。その後、画像データは、再びＨＤＤ１０８から画像メモリ１２４に送られ、上記したコピーモードと同様に画像形成部１２０へと伝送され、画像形成が行なわれる。
【００６６】
（スキャナモード）
画像形成装置１００を、例えばネットワークスキャナとして利用する場合には、原稿読取部１１０において読取られた原稿の画像データを、ＮＩＣ１６０からネットワーク１６２を介してコンピュータ等へ送信する。この場合にも、原稿読取部１１０に装備されたＣＣＤにより原稿を電子的に読取る。そして、読取られた原稿の画像データは、画像メモリ１２４上に出力データとして完成された後、ＨＤＤ１０８に記憶される。その後、画像データは、再びＨＤＤ１０８から画像メモリ１２４に送られ、操作部１３０を介して指定された送信先との通信を確立した上で、ＮＩＣ１６０を介して、指示された送信先へと送信される。
【００６７】
（ファクシミリモード）
画像形成装置１００は、ＦＡＸモデム及び電話回線網を介して外部のファクシミリ装置とＦＡＸ送受信することができる。
【００６８】
画像形成装置１００をファクシミリ装置として使用する場合、ファクシミリ装置からＦＡＸ受信したデータを、画像データとして画像メモリ１２４上に形成し、上記と同様に、ＨＤＤ１０８への記憶、及び画像形成部１２０による印刷を実行することができる。また、画像形成装置１００は、ＨＤＤ１０８から画像データを読出して、ＦＡＸ通信用のデータ形式に変換して、ＦＡＸモデム及び電話回線網を介して外部のファクシミリ装置に送信することができる。
【００６９】
上記の画像形成装置１００の各動作モードは、ユーザにより、操作部１３０を介して選択され、各動作モードに関する設定も操作部１３０を介して行なわれる。ユーザにより、動作モードに関する設定がなされた後、操作部１３０を介して画像形成が指示される。以下に、タッチパネルディスプレイ１３２における表示について説明する。
【００７０】
図８に、画像形成装置１００のタッチパネルディスプレイ１３２における画面２００を示す。図８を参照して、横長のタッチパネルディスプレイ１３２（例えば、横１０２４ピクセル×縦６００ピクセル）における画面２００の基本レイアウトは、最上部に配置されたシステム領域２１０、左側に配置された機能選択領域２２０、中央に配置されたプレビュー領域２５０、右側に配置されたタスクトリガー領域２３０及びアクションパネル領域２４０を含む。タッチパネルディスプレイ１３２に表示される画面を複数の領域に区分する方法及びそのレイアウトは、上記に限定されない。ユーザが操作しやすいようにカスタマイズ可能とすることもできる。例えば、システム領域２１０の位置は画面の最下部に配置されてもよい。
【００７１】
タッチパネルディスプレイ１３２に表示された画面２００のキーを、表示パネルに重ねられたタッチパネル上で選択する（タッチパネル上の該当部分にタッチする）ことによって、画像形成装置１００の機能設定及び動作指示等ができる。タッチパネルディスプレイ１３２において、表示されたキーがタッチされたか否かを判定するには、公知技術を用いればよい。例えば、タッチパネルの２次元座標と、表示パネルの２次元座標との対応関係を予め定めておき、タッチパネル上でタッチされた位置が、表示パネルに表示された文字、図形等の領域に含まれるか否かを判定することによって、ユーザが選択した文字、図形等を検出することができる。
【００７２】
プレビュー領域２５０は、後述するようにプレビュー画像が表示される領域である。例えば原稿を画像として読取ってコピーを実行する場合、タッチパネルディスプレイ１３２に、設定に応じたプレビュー画像を表示する。プレビュー画像を表示することで、ユーザは仕上りイメージを正確に捉えることができ、コピー処理を誤りなく行なうことができる。原稿を読取る前の画面２００では、プレビュー領域２５０に、画像形成装置１００を模式的に表す画像を表示する。給紙部１４０の各トレイを表す位置には、セットされている記録紙の種類を、その配置方向が分かるように表示する。
【００７３】
システム領域２１０には、現時点の画像形成装置１００に関する情報、即ち操作中の動作モードのタイトル、及び画像形成装置１００の状態に関する情報が表示される。例えば、システム領域２１０には、動作モード名、割り込みキー、ログインユーザ名、処理中のジョブ状況、内蔵メモリ使用状態、時刻等が表示される。図８では、それらの一部が表示されている。
【００７４】
機能選択領域２２０には、各機能の設定、表示の切換え、設定の確認のためにユーザにより操作される機能選択メニュー（アイコン、キー等）が表示される。機能選択領域２２０の下部には、機能選択領域２２０の表示スタイルを変更する変更キー群２０２を備える。変更キー群２０２には、アイコンモードで機能選択領域２２０を表示するキー（左端のキー）、「お気に入り」登録した機能を表示させるキー（中央のキー）、選択されている動作モードにおいて設定可能な全ての機能の一覧を表示するキー（右端のキー）等が配置されている。アイコンモードとは、プレビュー領域２５０が最も広くなるように、機能選択領域２２０には機能設定用のアイコンのみが表示され、機能選択領域２２０が狭く表示されるモードである。
【００７５】
なお、機能選択領域２２０に表示される情報が多い場合には、機能選択領域２２０において上下方向にスクロール可能に情報が表示される。この場合において、変更キー群２０２はスクロールされないで、機能選択領域２２０の最下部に常に表示される。
【００７６】
タスクトリガー領域２３０には、特定の動作モードにおいて全ての設定が完了して、画像形成装置１００を実際に動作させるためにユーザにより操作されるトリガーキーが表示される。本実施の形態では、タスクトリガー領域２３０は、原稿の白黒コピーを開始させる白黒開始キー２３２と、カラーコピーを開始させるカラー開始キー２３４と、原稿を一旦スキャンし、画像として画像形成装置１００に取込む処理を開始させるスキャンインキー２３６と、設定を全てクリアするためのクリアオール（ＣＡ）キー２３８とを含む。
【００７７】
なお、トリガーキーを常に表示するのではなく、トリガーされるジョブが開始できる状態になったときにのみ、そのジョブのトリガーとなるスタートキーを表示することも好ましい。ジョブが開始できる状態とは、印字を伴う動作モードの場合には、全ての設定が終了し、かつ消耗品（記録紙及びトナー）切れでない状態である。印字を伴わない動作モードであるファクシミリモード（送信）の場合には、ジョブが開始できる状態とは、宛先を含む全ての送信パラメータの設定が終了した状態である。
【００７８】
アクションパネル領域２４０には、操作についての補助、助言、提案等についての情報が表示される。アクションパネル領域２４０には、例えば、あるユーザが特定の機能を選択すると、その機能に関連する機能を表示する、目的指向でその機能についての他の機能を表示する、又は、このユーザ若しくはこのユーザが所属するグループのユーザが過去に組合せて選択した機能を「おすすめ機能」として表示する。
【００７９】
以下に、画像形成装置１００のプレビュー機能に関して説明する。画像形成装置１００は、２種類のプレビュー表示モードを備えている。１つのモードは、タッチパネルディスプレイ１３２を介して選択された記録紙（以下、シートともいう）の方向にしたがってプレビュー画像を表示する「選択シート優先表示モード」である。もう１つのモードは、原稿のサイズにしたがってプレビュー画像を表示する「入力イメージ優先表示モード」である。これらのモードは、例えば図９の画面（プレビュー表示モード設定画面）２６０によって設定される。
【００８０】
画面２６０は、タッチパネルディスプレイ１３２に表示された画面２００（図８）においてアクションパネル領域２４０の「プレビュー表示の設定」キーがタッチされた場合に表示される。画面２６０のモード選択領域２６２のチェックボックスにタッチすることで、選択シート優先表示モード又は入力イメージ優先表示モードを選択する。図９は、入力イメージ優先表示モードが設定されている状態を示す。
【００８１】
原稿指定領域２６４は、入力イメージ優先表示モードを適用する原稿の種類を設定する領域である。原稿指定領域２６４の設定は、入力イメージ優先表示モードが選択されている場合に有効になる。入力サイズの列は入力イメージ優先表示モードを適用する原稿の種類を表す。表示条件の列は、プレビュー画像のサイズ及び向きを表す。１行目の設定は、原稿がレターサイズ（８．５×１１）である場合、横向きのプレビュー画像を表示することを意味する。２行目の設定は、原稿がリーガルサイズ（８．５×１４）である場合、縦向きのプレビュー画像を表示することを意味する。追加キー２７０がタッチされると、追加領域２７２に、新たにブランク行が追加される。図９は、追加キー２７０がタッチされ、３行目にブランク行が表示された状態である。入力サイズ及び表示条件は、例えばプルダウンキー２７４、２７６をタッチして、表示される選択肢の中から選択することによって設定される。ＯＫキー２６６がタッチされると、そのときに表示されている内容を新たなプレビュー表示の条件としてＨＤＤ１０８に記憶し、画面２６０を消去して画面２００（図８）を表示する。キャンセルキー２６８がタッチされると、表示されている内容を破棄し、画面２６０を消去して画面２００を表示する。
【００８２】
上記のように設定されたプレビュー表示の条件をＨＤＤ１０８に記憶する形式は任意である。例えば、プレビュー表示モードの設定情報として１ビットのデータ（例えば、“０”であれば選択シート優先表示モード、“１”であれば入力イメージ優先表示モード）を記憶する。入力サイズの設定情報と表示条件の設定情報とは、対応させて記憶する。入力サイズの設定情報としては、例えば２辺の長さを記憶する。表示条件の設定情報としては、例えば、２辺の長さ及び向きの情報を、対応させて記憶する。例えば、入力サイズがレターサイズ（８．５×１１）である場合、２辺の長さをｍｍ単位で表した数値として（２１５．９，２７９．４）を記憶する。入力サイズがリーガルサイズ（８．５×１４）である場合、同様に（２１５．９，３５５．６）を記憶する。表示条件のうち「サイズ」に関しても同様である。表示条件のうち「向き」に関しては、１ビットのデータ（例えば、“０”であれば横向き、“１”であれば縦向き）を記憶する。
【００８３】
なお、一般に使用される記録紙の種類（サイズ）は決まっているので、記録紙の種類とサイズとを対応させてテーブルとして記憶しておき、入力サイズの設定情報として、記録紙の種類を特定する情報を記憶してもよい。同様に、表示条件のうち「サイズ」の情報に関しても、このテーブル中の記録紙の種類を特定する情報を記憶してもよい。このようにすれば、このテーブルを参照して、プルダウンキー２７４、２７６がタッチされた場合に表示する選択肢を生成することができる。
【００８４】
以下に、上記したプレビュー表示モードの設定にしたがって、プレビュー画像を表示するコンピュータプログラムの制御構造について説明する。
【００８５】
ここでは、原稿をスキャンした場合、プレビュー画像が表示されるように設定されており、プレビュー表示の条件は、図９に示したように設定されているとし、リーガルサイズ又はレターサイズの原稿をコピーする場合について説明する。図８に示したように、第１トレイには、レターサイズの記録紙が縦方向（８．５×１１）に配置され、第２トレイには、レターサイズの記録紙が横方向（８．５×１１Ｒ）に配置され、第３トレイには、リーガルサイズの記録紙が縦方向（８．５×１１）に配置されているとする。タッチパネルディスプレイ１３２には、図８の画面２００が表示されているとする。
【００８６】
図１０を参照して、ステップ４００において、ＣＰＵ１０２は、クリアオールキー２３８以外のトリガーキーがタッチされたか否かを判定する。クリアオールキー２３８以外のトリガーキーがタッチされたと判定された場合、ステップ４０２に移行し、そうでなければステップ４００の処理を繰返す。ここでは、原稿をコピーする場合を説明するので、白黒開始キー２３２、カラー開始キー２３４、又はスキャンインキー２３６が押されて、処理はステップ４０２に移行する。
【００８７】
ステップ４０２において、ＣＰＵ１０２は、原稿自動送り部１１２を作動させて原稿台の原稿を原稿読取部１１０内に送り、原稿をスキャンして画像データを記憶する。このとき、ＣＰＵ１０２は、原稿検知センサにより、原稿の幅及び長さを検出し、原稿のサイズを取得する。原稿検知センサは、原稿台の原稿セット位置に配置されたセンサ、搬送される原稿の通過時間から原稿のサイズを検出するセンサ等である。なお、原稿サイズは、ＣＣＤによって読取られた画像データから求めることもできる。ここでは、原稿サイズは、リーガルサイズ又はレターサイズと検出される。
【００８８】
ステップ４０４において、ステップ４０２で決定した原稿サイズに応じた記録紙、又はユーザによって指定された記録紙が、給紙部１４０のトレイにセットされているか否かを判定する。原稿サイズがリーガルサイズであれば、リーガルサイズの記録紙がセットされているか否かを判定する。原稿サイズがレターサイズであれば、レターサイズの記録紙がセットされているか否かを判定する。給紙部１４０のトレイにセットされている記録紙の情報は、予めＨＤＤ１０８に記憶されており、上記したように図８のプレビュー領域２５０にもユーザが認識できるように表示される。ユーザが指定した記録紙は、図８の画面２００の機能選択領域２２０の「用紙」キーに表示されている。適切な記録紙があると判定された場合、ステップ４１０に移行する。そうでなければ、ステップ４０８に移行して、タッチパネルディスプレイ１３２に、記録紙をセットすることを促すメッセージを表示して、ステップ４０６に戻り、ＣＰＵ１０２が、適切な記録紙がトレイにセットされたことを検出した場合、ステップ４１０に移行する。
【００８９】
ステップ４０８において、ＣＰＵ１０２は、画像を形成する対象の記録紙を決定する。
【００９０】
ステップ４１０において、ＣＰＵ１０２は、ステップ４００で読込んだ原稿が、入力イメージ優先表示モードの入力イメージとして指定されたサイズに該当するか否かを判定する。具体的には、ＣＰＵ１０２は、ＨＤＤ１０８に記憶されている入力イメージ優先表示モードの入力サイズの情報を読出して、これから決定される２辺のサイズ（長さ及び幅）を、読込んだ原稿のサイズ（長さ及び幅）と比較する。指定サイズに該当すると判定された場合、ステップ４１２に移行する。そうでなければ、ステップ４１４に移行し、従来と同様にステップ４０８で決定した記録紙の向きに合わせて、ステップ４０２でスキャンした原稿のプレビュー画像を、タッチパネルディスプレイ１３２に表示し、その後ステップ４１６に移行する。ここでは、リーガルサイズ又はレターサイズの原稿をコピーするので、入力イメージ優先表示モードの入力イメージに該当し、ステップ４１２に移行する。なお、「指定サイズに該当する」とは一致する場合に限定されず、ステップ４０２で決定した原稿の長さ及び幅と、入力イメージ優先表示モードの入力イメージとして設定された長さ及び幅との差が、所定の許容範囲内（例えば、５ｍｍ以内、２％以内等）である場合も含まれる。なお、長さの差の許容範囲と、幅の差の許容範囲とが異なっていてもよい。
【００９１】
ステップ４１２において、ＣＰＵ１０２は、ステップ４０２でスキャンした原稿に合わせたプレビュー画像をタッチパネルディスプレイ１３２に表示する。即ち、入力イメージ優先表示モードの入力イメージで設定された向きのプレビュー画像を表示する。ここでは、図９のように設定されているとしたので、レターサイズの原稿であれば、横向きのプレビュー画像が表示される。リーガルサイズの原稿であれば、縦向きのプレビュー画像が表示される。
【００９２】
例えば、図１１に示すようにプレビュー画像２８２が表示される。プレビュー画像２８２は、例えば図９に示したようにプレビュー表示の条件が設定されており、レターサイズの原稿がスキャンされた場合に、表示されるプレビュー画像である。図１１においては、プレビュー画像の下方のプレビュー操作領域２８４に、プレビュー画像を操作するキーが表示されている。スライドバー２８６は、複数の原稿をスキャンした場合に表示される。複数の原稿をスキャンした場合には、複数のプレビュー画像が生成されるので、プレビュー領域２５０に１枚のプレビュー画像が表示される場合、スライドバー２８６を操作して他のプレビュー画像を表示する。シングル表示キー２８８は、プレビュー領域２５０にプレビュー画像を１枚だけ表示するためのキーである。マルチ表示キー２９０は、プレビュー領域２５０に複数のプレビュー画像を同時に表示するためのキーである。
【００９３】
ステップ４１６において、ＣＰＵ１０２は、何れかのキー操作（キーへのタッチ）がなされたか否かを判定する。キー操作があったと判定されるまで、ステップ４１６が繰返される。キー操作があったと判定された場合、ステップ４１８に移行する。
【００９４】
ステップ４１８において、ＣＰＵ１０２は、タッチされたキーがコピーの実行を指示するキー、即ち白黒開始キー２３２又はカラー開始キー２３４であるか否かを判定する。白黒開始キー２３２又はカラー開始キー２３４であると判定された場合、ステップ４２０に移行して、コピーを実行する。即ち、ＣＰＵ１０２は、給紙部１４０の搬送機構を制御して、指定された記録紙をトレイからピックアップして画像形成部１２０まで搬送し、搬送された記録紙上に、ステップ４０２で読取った画像を形成する。その後、処理はステップ４００に戻り、タッチパネルディスプレイ１３２上では、プレビュー画像が消去され、画面２００（図８）が表示される。
【００９５】
ステップ４１８において、コピーの実行を指示するキーであると判定されなければ、ステップ４２２に移行して、ＣＰＵ１０２は、指定された処理を実行して、ステップ４２４に移行する。例えば、機能選択領域２２０の部数キー、カラーモードキー、コピー濃度キー等がタッチされた場合、ＣＰＵ１０２は、タッチパネルディスプレイ１３２に各キーに対応する設定画面を表示して、ユーザのタッチ操作による設定を受付ける。設定を終了すれば、設定画面を消去して画面２８０（図１１）を表示し、ステップ４２４に移行する。
【００９６】
ステップ４２４において、ＣＰＵ１０２は、キャンセルされたか否か、即ちクリアオールキー２３８がタッチされたか否かを判定する。キャンセルされたと判定された場合、ステップ４００に戻る。そうでなければ、ステップ４１８に戻る。
【００９７】
以上によって、プレビュー表示モードの設定に応じたプレビュー画像を表示することができる。即ち、プレビュー表示モードが、選択シート優先表示モードに設定されていれば、記録紙に合わせたプレビュー画像が表示される。プレビュー表示モードが、入力イメージ優先表示モードに設定されており、且つ、スキャンした原稿が、入力イメージ優先表示モードの対象であれば、原稿に合わせたプレビュー画像が表示される。入力イメージ優先表示モードに設定されていても、スキャンした原稿が、入力イメージ優先表示モードの対象でなければ、記録紙の向きに合わせたプレビュー画像が表示される。
【００９８】
具体的に、レターサイズの原稿をスキャンした場合を、図１２に示す。図１２において、左端、中央、右端の各列の画像の意味は、図３及び４と同じである。原稿及び記録紙の搬送方向も、図３及び４と同じである。図１２のＮｏ．１〜４は、レターサイズの原稿を原稿自動送り部１１２にセットする方向、及びレターサイズの記録紙の配置方向の組合せ４通りに対応する。何れの組合せにおいても、プレビュー画像２８２は横向きに表示されている。従来の例を示す図４とは異なり、Ｎｏ．２及び４の場合にも、プレビュー画像２８２は原稿の向きに合わせて表示されている。このように、レターサイズの原稿を、原稿自動送り部１１２にセットされた原稿の向き及びトレイにセットされた記録紙の向きに依らず、常に横向き（表示条件で設定された方向）のプレビュー画像を表示することができる。レターサイズの原稿は、約８割が用紙を横向き（図１参照）にして使用されるので、ユーザは仕上りを容易に確認することができる。リーガルサイズの原稿に関しても同様である。リーガルサイズの原稿の場合には、常に縦向き（表示条件で設定された方向）のプレビュー画像が表示される（図３において、右端のリーガルサイズのプレビュー画像９５０が縦向きに表示される）。リーガルサイズの原稿は、約８割が用紙を縦向き（図１参照）にして使用されるので、ユーザは仕上りを容易に確認することができる。
【００９９】
なお、原稿がレターサイズ又はリーガルサイズの場合、約８割の頻度で使用される方向があるが、それとは異なる方向の原稿もある。図１３は、図９と同じ設定でレターサイズの原稿がスキャンされ、プレビュー画像３０２が表示された画面３００を示す。レターサイズの原稿であるので、図１２に示したように、プレビュー画像２８２は横長の画像として表示されている。プレビュー画像３０２から、スキャンされた原稿は縦向きであることが分かる。このままでは仕上りの確認が容易ではない。この場合、プレビュー操作領域２８４の左回転キー２９２がタッチされると、ＣＰＵ１０２はそれを検出して、プレビュー画像３０２を左に９０度回転させて、図１４のようにプレビュー画像３０４として表示する。これによって、プレビュー画像３０４の方向は、原稿の作成方向と同じ縦向きになるので、ユーザは仕上りを容易に確認できるようになる。
【０１００】
なお、図１３において、左回転キー２９２に１回タッチするとプレビュー画像３０２が左に９０度回転されて、２回タッチするとプレビュー画像３０２が左に１８０度回転される。右回転キー２９４についても、回転方向が反対であることを除き左回転キー２９２に対する操作と同様の処理が行なわれる。なお、ジェスチャー操作によってプレビュー画像を回転させるようにしてもよい。例えば、プレビュー画像３０２の上に指先を置いたまま、円弧を描くように反時計回転方向に指先を所定角度（例えば９０度、１８０度等）回転させると、プレビュー画像が左に同じ角度だけ回転される。ジェスチャー操作による右回転も同様である。
【０１０１】
図１３及び１４では、縦向きのレターサイズの原稿をスキャンした場合を示したが、横向きに作成されたリーガルサイズの原稿をスキャンした場合も同様である。即ち、その場合には、プレビュー画像は縦向きの画像として表示されるので、横向きのリーガルサイズの原稿が９０度回転されたプレビュー画像として表示されることになる。そのままでは仕上りの確認が容易ではないので、上記と同様に、左回転キー２９２又は右回転キー２９４を用いて、原稿の作成された方向に合うようにプレビュー画像を回転させる。
【０１０２】
複数の原稿をスキャンする場合、全て同じサイズの原稿であれば、上記のステップ４０２〜４１４を繰返すことで、全てのプレビュー画像を同じ向きに表示することができる。例えば、全ての原稿がレターサイズであれば、図１２示したように、全て横向きのプレビュー画像が表示される。全ての原稿がリーガルサイズであれば、全て縦向きのプレビュー画像が表示される。また、サイズの異なる原稿が混在していても、図９のように設定されていれば、上記のステップ４０２〜４１４を繰返すことで、レターサイズの原稿に関しては横向きのプレビュー画像が表示され、リーガルサイズの原稿に関しては縦向きのプレビュー画像が表示される。それら以外の原稿に関しては、記録紙の方向にしたがってプレビュー画像が表示される。これらの場合において、プレビュー画像の向きが原稿の作成方向と異なっていれば、上記と同様に左回転キー２９２又は右回転キー２９４を用いて、原稿の向きと合うようにプレビュー画像を回転させればよい。
【０１０３】
レターサイズの原稿のみを入力イメージ優先表示モードの対象とし、横向きのプレビュー画像として表示するように設定されている場合もあり得る。その場合、レターサイズ及びリーガルサイズが混在した複数の原稿をスキャンすると、図１５のようにプレビュー表示される。図１５において、左端、中央（２列）、右端の各列の画像の意味は、図３、４及び１２と同様である。原稿及び記録紙の搬送方向も、図３、４及び１２と同様である。但し、図１５の左端の列は、原稿自動送り部１１２にまとめてセットされる混在する６枚の原稿を示す。また、記録紙に関しては、レターサイズ及びリーガルサイズの記録紙がそれぞれ異なるトレイにセットされているので、２列で表示している。ここでは、図８に示したように、記録紙がセットされており（レターサイズの記録紙は第１及び第２トレイに異なる向きにセットされている）、レターサイズの原稿には第１トレイの記録紙（８．５×１１）が使用されるように設定されているとする。空欄は、その記録紙を使用しないことを意味する。図１５から分かるように、レターサイズの原稿のプレビュー画像は、原稿自動送り部１１２にセットされたトレイにセットされた記録紙の向きに依らず、常に横向き画像として表示される。リーガルサイズの原稿は、入力イメージ優先表示モードの対象に設定されていないので、記録紙の方向に合わせて横向きのプレビュー画像（Ｎｏ．２及び６の右端）が表示される。
【０１０４】
図１５のような場合に、プレビュー画像を回転させる処理を具体的に説明する。図１６は、図１５に対応するタッチパネルディスプレイ１３２のプレビュー領域２５０を示す図である。図１６の上段の画像には、図１５と同じ６枚のプレビュー画像がマルチ表示されている。左上がＮｏ．１、右下がＮｏ．６のプレビュー画像である。図１６の上段の表示において、プレビュー画像３０６（図１５のＮｏ．２のリーガルサイズの原稿）にタッチしてプレビュー画像３０６を処理対象として選択した後、右回転キー２９４にタッチすると、ＣＰＵ１０２はそれを検出して、図１６の下段の画像に示したように、選択されたプレビュー画像３０６を右向に９０度回転したプレビュー画像３０８が表示される。
【０１０５】
また、複数のプレビュー画像を選択して、それらに対して一度に回転処理を実行してもよい。例えば、図１７の上段の画像に示したように、プレビュー画像３０６及び３１０（図１５のＮｏ．２及び６のリーガルサイズの原稿）にタッチしてプレビュー画像３０６及び３１０を処理対象として選択した後、右回転キー２９４にタッチすると、ＣＰＵ１０２はそれを検出して、図１７の下段の画像に示したように、選択されたプレビュー画像３０６及び３１０をそれぞれ右向に９０度回転したプレビュー画像３０８及び３１２が表示される。
【０１０６】
なお、タッチパネルディスプレイ１３２に複数のプレビュー画像を表示するマルチ表示は、上記に限定されない。例えば、全てのプレビュー画像を同時に表示せずに、その一部（２枚、３枚等）のプレビュー画像を同時に表示し、図１３に示したスライドバー２８６を操作することによって、表示されていないプレビュー画像を表示してもよい。その場合にも、スライドバー２８６を操作しながら、表示されるプレビュー画像を選択すれば、上記のように回転操作を行なうことができる。
【０１０７】
また、複数のプレビュー画像を選択して、それらを一度に回転させる操作も上記に限定されない。例えば、連続して読込んだ１組の複数の原稿をプレビュー表示中に、１つのプレビュー画像を選択して左右の回転操作を指示すれば、選択されたプレビュー画像と同じサイズの原稿のプレビュー画像を全て同じ方向に同じ角度だけ回転させるようにしてもよい。このようにすれば、操作対象のプレビュー画像を逐一選択する手間が省け、効率的であり、操作ミスを軽減することができる。
【０１０８】
また、指定した方向にプレビュー画像を表示する対象の原稿はレターサイズ及びリーガルサイズの原稿に限定されない。これら以外のサイズの原稿に関して、使用頻度の高い向きがあれば、そのサイズの原稿に関しても入力イメージ優先表示モードを適用すれば、頻度の高い原稿の向きに合わせてプレビュー画像を表示することができる。
【０１０９】
上記では原稿自動送り部（ＡＤＦ）を備える場合を説明したがこれに限定されない、原稿自動送り部を備えていない画像形成装置の場合にも、スキャンする原稿を搭載するガラス平面は、画像形成装置の大型化及び高コストを抑制するために、原稿のトレイと同様の制限がある。即ち、レターサイズの原稿は縦方向にでも横方向にでも配置することができるが、リーガルサイズ等の比較的大きい原稿は、横方向にしか配置することができない。したがって、この場合にも上記したプレビュー表示における問題が生じ得るが、本発明を適用することにより解決することができる。
【０１１０】
上記では、スキャンした直後の画像をプレビュー画像として説明したが、画像が形成された記録紙をパンチングする処理、ステープルする処理等の後処理が設定されている場合には、それらの処理が行なわれた状態の記録紙を表わす画像をプレビュー画像として表示してもよい。
【０１１１】
以上、実施の形態を説明することにより本発明を説明したが、上記した実施の形態は例示であって、本発明は上記した実施の形態に限定されるものではなく、種々変更して実施することができる。
【符号の説明】
【０１１２】
１００    画像形成装置
１０２    制御部（ＣＰＵ）
１０４    ＲＯＭ
１０６    ＲＡＭ
１０８    ＨＤＤ
１１０    原稿読取部
１１２    原稿自動送り部
１１４    バス
１２０    画像形成部
１２２    画像処理部
１２４    画像メモリ
１３０    操作部
１３２    タッチパネルディスプレイ
１３４    操作キー部
１４０    給紙部
１４２    手差しトレイ
１５０    排紙処理部
１５２    排紙トレイ
１６０    ＮＩＣ
１６２    ネットワーク
【図１】
2012232426.tif 000003
【図２】
2012232426.tif 000004
【図３】
2012232426.tif 000005
【図４】
2012232426.tif 000006
【図５】
2012232426.tif 000007
【図６】
2012232426.tif 000008
【図７】
2012232426.tif 000009
【図８】
2012232426.tif 000010
【図９】
2012232426.tif 000011
【図１０】
2012232426.tif 000012
【図１１】
2012232426.tif 000013
【図１２】
2012232426.tif 000014
【図１３】
2012232426.tif 000015
【図１４】
2012232426.tif 000016
【図１５】
2012232426.tif 000017
【図１６】
2012232426.tif 000018
【図１７】
2012232426.tif 000019
【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
原稿が読取られて生成された画像データが入力される画像入力手段と、
画像形成のために供給する記録紙を収容する給紙手段と、
前記給紙手段から供給される前記記録紙上に、前記画像データに基づいて出力画像を形成する画像形成手段と、
前記出力画像が形成された場合の前記記録紙の状態を表すプレビュー画像を、前記画像データから生成するプレビュー画像生成手段と、
前記プレビュー画像を表示する表示手段とを備え、
前記表示手段は、前記出力画像を形成するために前記給紙手段から供給される記録紙のサイズ及び向きに応じて前記プレビュー画像を表示する第１表示モード、又は、読取られた前記原稿のサイズに応じて予め設定された表示方向で前記プレビュー画像を表示する第２表示モードで前記プレビュー画像を表示することを特徴とする画像形成装置。
【請求項２】
前記表示手段は、
前記画像形成装置の初期状態において、前記第１表示モードで前記プレビュー画像を表示し、
所定条件が指定された場合であって、該条件を満たすときに、前記第２表示モードで前記プレビュー画像を表示することを特徴とする請求項１に記載の画像形成装置。
【請求項３】
前記原稿のサイズを検出するサイズ検出手段をさらに備え、
前記表示手段は、
前記サイズ検出手段によって検出された原稿のサイズが所定サイズに該当する場合、前記第２表示モードで前記プレビュー画像を表示し、
前記サイズ検出手段によって検出された原稿のサイズが前記所定サイズに該当しない場合、前記第１表示モードで前記プレビュー画像を表示することを特徴とする請求項１又は２に記載の画像形成装置。
【請求項４】
前記画像入力手段は、前記原稿を読取って前記画像データを生成し、
前記サイズ検出手段は、前記画像入力手段により読取られる原稿の長さ及び幅を検出し、
前記所定サイズは、第１の値及び該第１の値以下の第２の値であり、
前記表示手段は、
前記長さと前記第１の値との差、及び、前記幅と前記第２の値との差が、所定範囲以内である場合、前記第２表示モードで前記プレビュー画像を表示し、
前記長さと前記第１の値との差、及び、前記幅と前記第２の値との差の少なくとも一方が、前記所定範囲を超えている場合、前記第１表示モードで前記プレビュー画像を表示することを特徴とする請求項３に記載の画像形成装置。
【請求項５】
前記画像入力手段は、前記原稿を読取位置に搬送する搬送手段を備え、
前記画像入力手段は、前記読取位置において前記原稿を読取り、前記画像データを生成することを特徴とする請求項４に記載の画像形成装置。
【請求項６】
前記表示手段が前記第２表示モードで前記プレビュー画像を表示するための条件として、原稿のサイズを指定する手段をさらに備えることを特徴とする請求項１から５の何れか１項に記載の画像形成装置。
【請求項７】
前記表示手段が前記第２表示モードで前記プレビュー画像を表示するための条件として、原稿のサイズを、異なるサイズで複数指定する手段をさらに備え、
異なるサイズの原稿を含む複数の原稿の画像データが前記画像入力手段に入力された場合、前記表示手段は、複数指定された前記サイズの何れか１つに該当する原稿に対応するプレビュー画像を前記第２表示モードで表示することを特徴とする請求項１から６の何れか１項に記載の画像形成装置。
【請求項８】
表示されている前記プレビュー画像を所定方向に回転させて表示させる操作手段をさらに備えることを特徴とする請求項１から７の何れか１項に記載の画像形成装置。
【請求項９】
異なるサイズの原稿を含む複数の原稿の画像データが入力され、複数のプレビュー画像が表示された状態で、表示された複数の前記プレビュー画像の中から複数のプレビュー画像が選択され、前記操作手段により、所定方向に所定角度だけ回転させる指示がなされた場合、選択された複数の前記プレビュー画像を前記所定方向に前記所定角度だけに回転させて表示することを特徴とする請求項８に記載の画像形成装置。
【請求項１０】
前記第１表示モードと前記第２表示モードとを切換える手段をさらに備えていることを特徴とする請求項１から９の何れかに記載の画像形成装置。
【請求項１１】
原稿が読取られて生成された画像データが入力され、該画像データに基づく出力画像が記録紙に形成された場合の該記録紙の状態を表すプレビュー画像を表示する手段を備えた画像形成装置であって、
前記画像データが、所定サイズの原稿が読取られて生成された場合、該原稿のサイズに応じて予め設定された表示方向で前記プレビュー画像を表示し、
前記画像データが、前記所定サイズ以外の原稿が読取られて生成された場合、前記出力画像を形成するための記録紙のサイズ及び向きに応じて前記プレビュー画像を表示することを特徴とする画像形成装置。
【請求項１２】
画像形成のために供給するサイズが異なる複数種類の記録紙を収容する給紙手段と、
原稿が読取られて生成された画像データが入力される画像入力手段と、
前記給紙手段に収容された複数種類の記録紙の中から、前記画像データに基づく出力画像を形成する記録紙を、読取られた前記原稿のサイズに基づいて選択する選択手段と、
前記出力画像が形成された場合の記録紙の状態を表すプレビュー画像を表示する表示手段とを備えた画像形成装置であって、
前記表示手段は、
前記画像データが、所定サイズの原稿が読取られて生成された場合、該原稿のサイズに応じて予め設定された表示方向で前記プレビュー画像を表示し、
前記画像データが、前記所定サイズ以外の原稿が読取られて生成された場合、選択された前記記録紙のサイズ及び向きに応じて前記プレビュー画像を表示することを特徴とする画像形成装置。
【手続補正２】
【補正対象書類名】明細書
【補正対象項目名】００８８
【補正方法】変更
【補正の内容】
【００８８】
ステップ４０４において、ステップ４０２で決定した原稿サイズに応じた記録紙、又はユーザによって指定された記録紙が、給紙部１４０のトレイにセットされているか否かを判定する。原稿サイズがリーガルサイズであれば、リーガルサイズの記録紙がセットされているか否かを判定する。原稿サイズがレターサイズであれば、レターサイズの記録紙がセットされているか否かを判定する。給紙部１４０のトレイにセットされている記録紙の情報は、予めＨＤＤ１０８に記憶されており、上記したように図８のプレビュー領域２５０にもユーザが認識できるように表示される。ユーザが指定した記録紙は、図８の画面２００の機能選択領域２２０の「用紙」キーに表示されている。適切な記録紙があると判定された場合、ステップ４０８に移行する。そうでなければ、ステップ４０６に移行して、タッチパネルディスプレイ１３２に、記録紙をセットすることを促すメッセージを表示して、ステップ４０４に戻り、ＣＰＵ１０２が、適切な記録紙がトレイにセットされたことを検出した場合、ステップ４０８に移行する。